(57)【要約】【課題】構造が簡素な携帯端末スタンドを提供する。【解決手段】本発明の携帯端末スタンド１００は、地上波デジタル放送信号を受信及び表示可能な携帯端末２００を載置する携帯端末スタンド１００であって、重力方向に対して交差する傾斜面１１ａを有する載置部１１及び載置部１１を支持する脚部１２を有するスタンド本体１０と、同軸ケーブル用雌端子２０と、同軸ケーブル用雌端子２０に一端が接続される導線３０と、を備え、導線３０は、剥き出し状態で載置部１１に配置される。これにより、構造が簡素な携帯端末スタンド１００を提供できる。【選択図】図２
2019004287.tif 000002
【特許請求の範囲】
【請求項１】
地上波デジタル放送信号を受信及び表示可能な携帯端末を載置する携帯端末スタンドであって、
前記携帯端末スタンドは、重力方向に対して交差する傾斜面を有する載置部及び前記載置部を支持する脚部を有するスタンド本体と、同軸ケーブル用雌端子と、前記同軸ケーブル用雌端子に一端が接続される導線と、を備え、
前記導線は、剥き出し状態で前記載置部に配置される
ことを特徴とする携帯端末スタンド。
【請求項２】
前記同軸ケーブル用雌端子は、前記載置部における一方の面に設けられ、
前記導線は、前記載置部における他方の面に沿って設けられる
ことを特徴とする請求項１に記載の携帯端末スタンド。
【請求項３】
前記導線は、前記スタンド本体を貫通した状態で前記スタンド本体に対して係止されている
ことを特徴とする請求項１又は請求項２に記載の携帯端末スタンド。
【請求項４】
前記導線は、折曲部を有し、
前記同軸ケーブル用雌端子と前記折曲部との間で前記スタンド本体を挟むことにより、前記スタンド本体に対して係止されている
ことを特徴とする請求項１から請求項３のいずれか１項に記載の携帯端末スタンド。
【請求項５】
上記携帯端末スタンドは、車載アンテナに連結自在である
ことを特徴とする請求項１から請求項４のいずれか１項に記載の携帯端末スタンド。
【発明の詳細な説明】
【技術分野】
【０００１】
本発明は、携帯端末スタンドに関するものである。
【背景技術】
【０００２】
従来、地上波デジタル放送信号が受信可能な携帯端末を充電するための充電用端子と、携帯端末と接続するための無線接続手段と、地上波デジタル放送信号を受信するためのＤＴＶ用アンテナと、ＤＴＶ用の外部無線信号入力端子と、ＤＴＶ用アンテナ、外部無線信号入力端子、及び無線接続手段に接続された切り替えスイッチとを具備する携帯端末用充電器がある（特許文献１参照）。
【先行技術文献】
【特許文献】
【０００３】
【特許文献１】特開２０１０−０３４９２１号公報
【発明の概要】
【発明が解決しようとする課題】
【０００４】
しかしながら、このような携帯端末用充電器は、切り替えスイッチを具備することを必須とするので、切り替えスイッチの操作を機械的又は電気的に行うための動力及び機構を要するものであった。
本発明は、上記事情に鑑みてなされたものであり、構造が簡素な携帯端末スタンドを提供することを目的とする。
【課題を解決するための手段】
【０００５】
上記目的を達成するために、以下の構成によって把握される。
（１）本発明の携帯端末スタンドは、地上波デジタル放送信号を受信及び表示可能な携帯端末を載置する携帯端末スタンドであって、前記携帯端末スタンドは、重力方向に対して交差する傾斜面を有する載置部及び前記載置部を支持する脚部を有するスタンド本体と、同軸ケーブル用雌端子と、前記同軸ケーブル用雌端子に一端が接続される導線と、を備え、前記導線は、剥き出し状態で前記載置部に配置される。
（２）上記（１）の構成において、前記同軸ケーブル用雌端子は、前記載置部における一方の面に設けられ、前記導線は、前記載置部における他方の面に沿って設けられる。
（３）上記（１）又は（２）の構成において、前記導線は、前記スタンド本体を貫通した状態で前記スタンド本体に対して係止されている。
（４）上記（１）から（３）のいずれかの構成において、前記導線は、折曲部を有し、前記同軸ケーブル用雌端子と前記折曲部との間で前記スタンド本体を挟むことにより、前記スタンド本体に対して係止されている。
（５）上記（１）から（４）のいずれかの構成において、上記携帯端末スタンドは、車載用である。
【発明の効果】
【０００６】
本発明によれば、構造が簡素な携帯端末スタンドを提供できる。
【図面の簡単な説明】
【０００７】
【図１】第１実施形態に係る携帯端末スタンドに携帯端末を載置した状態を示す斜視図である。
【図２】第１実施形態に係る携帯端末スタンドを斜め前方から見た斜視図である。
【図３】第１実施形態に係る携帯端末スタンドを斜め後方から見た斜視図であり、同軸ケーブル用雄端子と同軸ケーブル用雌端子とが分離している状態を示す図である。
【図４】第１実施形態に係る携帯端末スタンドを側面から見た図であり、同軸ケーブル用雄端子と同軸ケーブル用雌端子とが接続している状態を示す図である。
【図５】同軸ケーブル用雌端子と導線との構造関係を示す斜視図である。
【図６】同軸ケーブル用雌端子と導線とスタンド本体との構造関係を示す断面図である。
【図７】室内の壁Ｗと携帯端末スタンドと携帯端末との機能関係を示すブロック図である。
【図８】第２実施形態に係る携帯端末スタンドを側方から見た図である。
【図９】第２実施形態に係る携帯端末スタンドを斜め前方から見た斜視図である。
【発明を実施するための形態】
【０００８】
（第１実施形態）
以下、図面を参照して本発明を実施するための第１の形態（以下、第１実施形態）について詳細に説明する。なお、実施形態の説明の全体を通して同じ要素には同じ符号が付される。
【０００９】
図１は、第１実施形態に係る携帯端末スタンド１００に携帯端末２００を載置した状態を示す斜視図である。図２は、第１実施形態に係る携帯端末スタンド１００を斜め前方から見た斜視図である。図３は、第１実施形態に係る携帯端末スタンド１００を斜め後方から見た斜視図であり、同軸ケーブル用雄端子４１と同軸ケーブル用雌端子２０とが分離している状態を示す図である。図４は、第１実施形態に係る携帯端末スタンド１００を側面から見た図であり、同軸ケーブル用雄端子４１と同軸ケーブル用雌端子２０とが接続している状態を示す図である。図５は、同軸ケーブル用雌端子２０と導線３０との構造関係を示す斜視図である。図６は、同軸ケーブル用雌端子２０と導線３０とスタンド本体１０との構造関係を示す断面図である。図７は、室内の壁Ｗと携帯端末スタンド１００と携帯端末２００との機能関係を示すブロック図である。図８は、第２実施形態に係る携帯端末スタンド１００を側方から見た図である。図９は、第２実施形態に係る携帯端末スタンド１００を斜め前方から見た斜視図である。なお、図６において、同軸ケーブル４０及び同軸ケーブル用雄端子４１、４２の図示は省略されている。
【００１０】
図１に示すように、携帯端末スタンド１００は、地上波デジタル放送（以下、「地デジ」という。）信号を受信及び表示可能な携帯端末２００を載置するものである。
携帯端末スタンド１００は、図７に示すように、同軸ケーブル用雌端子２０と、同軸ケーブル用雌端子２０に一端が接続される導線３０と、を備えており、同軸ケーブル用雌端子２０には、同軸ケーブル用雄端子４１が着脱自在となっている。
室内の壁Ｗは、アンテナ等の屋外回線６０に繋がり、地デジを表示可能な家庭用のＴＶモニタ等のために設けられた同軸ケーブル用雌端子５０を有し、同軸ケーブル用雌端子５０には、同軸ケーブル４０の一端に接続された同軸ケーブル用雄端子４２が着脱自在となっている。
【００１１】
携帯端末２００は、スマートフォンやタブレット端末といった携帯通信端末である。携帯端末２００は、図７に示すように、地デジ信号を受信可能な地デジ受信部２３０と、地デジ受信部２３０から受信した地デジ信号を表示可能な表示部２１０と、地デジ信号を音声出力可能な音声出力部２２０と、を備える。なお、携帯端末２００は、表示部２１０や音声出力部２２０や通話部（不図示）等に電源回路を介して電気を供給する電源（不図示）を備える。
【００１２】
携帯端末スタンド１００は、詳細には、図２に示すように、重力方向に対して交差する傾斜面１１ａを有する載置部１１及び載置部１１を支持する脚部１２を有するスタンド本体１０と、同軸ケーブル用雌端子２０と、同軸ケーブル用雌端子２０に一端が接続される導線３０と、を備える。載置部１１は、重力方向に対して交差する傾斜面１１ａを有するので、携帯端末２００を傾斜面１１ａに載置するだけで携帯端末２００を安定した姿勢で保持でき、携帯端末２００に設けられた表示部２１０及び音声出力部２２０の面をユーザに向けることができる。
【００１３】
スタンド本体１０は、電波を過度に妨害せず、所定の強度を有するものであればよく、ポリエチレン樹脂等のプラスチック製であってよい。
【００１４】
脚部１２の一部と載置部１１とは、互いに角度調節自在に連結されている。これにより、ユーザに向ける携帯端末２００に設けられた表示部２１０及び音声出力部２２０の面の角度を自由に変えることができる。
【００１５】
同軸ケーブル用雌端子２０は、載置部１１における一方の面（第１実施形態においては裏面）に設けられる。同軸ケーブル用雌端子２０は、同軸のＲＦ端子の一つであるＦ型コネクタであってよい。具体的には、図５に示すように、同軸ケーブル用雌端子２０は、外周に第１雄ねじ２１及び第２雄ねじ２２を有する。そして、第１雄ねじ２１は載置部１１における一方の面に螺合され、第２雄ねじ２２は、同軸ケーブル用雄端子４１（図１から図４参照）に設けられた雌ねじに螺合される。
【００１６】
同軸ケーブル用雌端子２０は、中央に、挟持部２３を有する。挟持部２３は導線３０の一部であってよい。そして、同軸ケーブル用雌端子２０は、この挟持部２３に対して、同軸ケーブル４０の端部に設けられた同軸ケーブル用雄端子４１（図１から図４参照）から突出した導線を挟み込むようにして挿入できるようになっている。これにより、地デジを表示可能な家庭用のＴＶモニタ等のために室内の壁Ｗに設けられた同軸ケーブル用雌端子５０に、両端に同軸ケーブル用雄端子４１、４２が設けられた同軸ケーブル４０の一端を接続し、その同軸ケーブル４０の他端を同軸ケーブル用雌端子２０に接続するだけで、携帯端末スタンド１００近傍を強い電波の環境にすることができ、携帯端末スタンド１００に載置した携帯端末２００にて地デジを安定した受信状態で快適に視聴できる。
【００１７】
導線３０は、線状であり、一般的な同軸ケーブルの芯線（内部導体）として用いられるものと同等のものである。導線３０は、例えば、銅線である。導線３０は、剥き出し状態で載置部１１に配置される。これにより、屋外からの地デジ電波が減衰して電波が弱くなりやすい室内等であっても、携帯端末スタンド１００の近傍において地デジの電波を強くできるので、携帯端末スタンド１００に載置された携帯端末２００において地デジの電波をより確実に受信することができる。そして、ユーザは地デジを安定して視聴できる。なお、導線３０は、傾斜面１１ａを下面にして設置される場合、つまり、傾斜面１１ａの上に設置される場合、見栄えを向上させるため、光不透過性を有する薄いフィルムやシートや板部材で覆われてもよい。
【００１８】
導線３０は、同軸ケーブル用雌端子２０に接続されている。導線３０は、載置部１１における他方の面となる傾斜面１１ａに沿って設けられる。
このように、導線３０は、載置部１１における携帯端末２００が載置される傾斜面１１ａに設けられるので、導線３０と携帯端末２００とが直接的に接するほど接近し、導線３０から放射される電波を強い強度で携帯端末２００の地デジ受信部２３０に受信させることができる。また、同軸ケーブル用雌端子２０は、載置部１１において携帯端末２００が載置される傾斜面１１ａとは反対の面に設けられるので、ユーザが携帯端末２００を載置した携帯端末スタンド１００を見たときに、傾斜面１１ａを有する載置部１１によって隠されるため、見栄えがよい。
【００１９】
導線３０は、スタンド本体１０を貫通した状態でスタンド本体１０に対して係止されている。具体的には、図５に示すように、導線３０は、同軸ケーブル用雌端子２０に接続されている。そして、図６に示すように、導線３０は、載置部１１における同軸ケーブル用雌端子２０が設けられた一方の面から、載置部１１を傾斜面１１ａに対して略垂直に貫通し、導線３０が貫通する載置部１１の穴の出口付近の折曲部Ｂにおいて傾斜面１１ａに沿う方向に折れ曲がり、傾斜面１１ａに沿って配置される。なお、第１実施形態においては、図２に示すように、導線３０は傾斜面１１ａに沿って直線状に配置されているが、これに限らず、Ｌ字状、Ｕ字状、渦巻状、ジグザグ状であってもよい。導線３０が剥き出しであり、柔軟性を有するので、導線３０の配置をこれらの形状としやすく、簡単に電波が放射する分布を調節できる。なお、導線３０がスタンド本体１０を貫通する回数は複数回であってもよい。すなわち、同軸ケーブル用雌端子２０に接続された導線３０を、一方の面から他方の面に貫通させ、他方の面に沿って這わせて配置し、続いて、他方の面から一方の面に再び貫通させ、一方の面に沿って這わせて配置し、さらに、一方の面から他方の面に貫通させ、他方の面に沿って這わせて配置してもよい。このように導線３０を載置部１１に対して縫い込むようにして配置することで、導線３０を載置部１１に対して、特別な固定手段を用いることなく係止できる。
【００２０】
これにより、同軸ケーブル用雌端子２０と同軸ケーブル用雌端子２０に接続された導線３０とのアセンブリユニットを、スタンド本体１０に組み込むだけで、携帯端末２００による地デジの電波強度の向上を図れる。なお、同軸ケーブル用雌端子２０と同軸ケーブル用雌端子２０に接続された導線３０とのアセンブリユニットは、同軸ケーブル用雌端子２０が端部に設けられた一般的な同軸ケーブルから、外被（ジャケット）、編組シールド、絶縁体をそれぞれ取り除き、中心にある芯線（内部導体）を剥き出すことにより、製作できる。
【００２１】
また、導線３０は、折曲部Ｂを有し、同軸ケーブル用雌端子２０と折曲部Ｂとの間でスタンド本体１０における載置部１１を挟むことにより、スタンド本体１０に対して係止されている。これにより、特別な固定手段を用いることなく、導線３０をスタンド本体１０に対して係止できる。
【００２２】
（第２実施形態）
次に、図８及び図９を参照して本発明を実施するための第２の形態（以下、第２実施形態）について詳細に説明する。以下、第２実施形態における第１実施形態と比べて異なる点について主に説明し、共通する点は説明を省略する場合がある。
【００２３】
図８及び図９に示すように、第２実施形態に係る携帯端末スタンド１００は、平板状の載置部１１及び平板状の脚部１２が一体となって形成されたものであり、載置部１１と脚部１２とは鋭角に交差するように繋がっており、断面が略Ｖ字状のものである。
携帯端末スタンド１００の載置部１１には、同軸ケーブル用雌端子２０と、同軸ケーブル用雌端子２０に一端が接続される導線３０とが、両方ともに、載置部１１の片面に、傾斜面１１ａが上になるように設けられている。このように、同軸ケーブル用雌端子２０と導線３０とが、傾斜面１１ａが上になるように設けられているので、ユーザの視界から同軸ケーブル用雌端子２０及び導線３０を載置部１１によって覆うことができ、見栄えが良い。
【００２４】
以上、本発明の好ましい実施形態について詳述したが、本発明に係る携帯端末スタンド１００は上述した実施形態に限定されるものではなく、特許請求の範囲に記載された本発明の要旨の範囲内において、種々の変形、変化が可能である。
【００２５】
例えば、上記携帯端末スタンド１００は、車載用であってもよい。すなわち、車両に具備された車載アンテナに繋がるケーブルに対して、携帯端末スタンド１００に設けられた同軸ケーブル用雌端子２０を接続することで、車載アンテナと携帯端末スタンド１００とを連結自在にしてもよい。これにより、車両の室内においても、特別な設備を付加することなく、地デジを安定した受信状態で快適に視聴できる。
【００２６】
また、例えば、上記実施形態においては、導線３０に連なる同軸ケーブル用雌端子２０を設けたものについて説明したが、これに換えて、一端が導線３０に連なり他端が同軸ケーブル用雄端子を有する同軸ケーブルを設けてもよい。これにより、この同軸ケーブルを直接的に室内の壁Ｗに設けられた同軸ケーブル用雌端子５０に接続できるので、別途の同軸ケーブル４０を要することなく、携帯端末スタンド１００と屋外回線６０とを接続できる。
【００２７】
本発明の携帯端末スタンド１００によれば、重力方向に対して交差する傾斜面１１ａを有する載置部１１及び載置部１１を支持する脚部１２を有するスタンド本体１０と、同軸ケーブル用雌端子２０と、同軸ケーブル用雌端子２０に一端が接続される導線３０と、を備え、導線３０は、剥き出し状態で載置部１１に配置されるので、携帯端末スタンド１００近傍を強い電波の環境にすることができる。これにより、載置された携帯端末２００に対して高利得を与えることが可能となるとともに、携帯端末スタンド１００の構造を簡素にできる。そして、ユーザは、携帯端末スタンド１００に載置した携帯端末２００にて地デジを安定した受信状態で快適に視聴できる。
【符号の説明】
【００２８】
１０    スタンド本体
１１    載置部
１１ａ  傾斜面
１２    脚部
２０    同軸ケーブル用雌端子
２１    第１雄ねじ
２２    第２雄ねじ
２３    挟持部
３０    導線
４０    同軸ケーブル
４１    同軸ケーブル用雄端子
４２    同軸ケーブル用雄端子
５０    同軸ケーブル用雌端子
６０    屋外回線
１００  携帯端末スタンド
２００  携帯端末
２１０  表示部
２２０  音声出力部
２３０  地デジ受信部
Ｂ  折曲部
Ｗ  壁
【図１】
2019004287.tif 000003
【図２】
2019004287.tif 000004
【図３】
2019004287.tif 000005
【図４】
2019004287.tif 000006
【図５】
2019004287.tif 000007
【図６】
2019004287.tif 000008
【図７】
2019004287.tif 000009
【図８】
2019004287.tif 000010
【図９】
2019004287.tif 000011